(57)【要約】【課題】  ランプソケットを収容した本体の開放口を、当該開放口に装着したパッキンにランプソケットに取り付けられるランプを接触させてシールするようにした照明灯において、ランプをパッキンに押圧するための圧縮コイルスプリングを受ける部材を取り付ける部分を本体の型成形時に同時に形成する【解決手段】  本体２の内周面に、当該本体２の一端開放口６から抜き出される型によって一体に形成された突部１５と、この突部１５に本体２の一端開放口６から抜き出される型によって形成され、当該突部１５における本体２の一端の開放口６側の端部から当該一端の開放口６とは反対側に向って延びる穴１６とを設ける。そして、この凹部１６にリベット１４を圧入し、圧縮コイルスプリング１３の一端側をリベット１４の頭部１４ａで受けるようにする。【選択図】  図１
2005149752.tif 000002
【特許請求の範囲】
【請求項１】
型成形によって一端が開放された中空状に形成された本体内に、ランプソケットを移動可能に収容すると共に、前記本体と前記ランプソケットとの間に弾発力を及ぼして当該ランプソケットに取り付けられたランプを本体の開放口側から奥方へ付勢する圧縮コイルスプリングを収容し、前記本体の一端開放口にパッキンを装着して当該パッキンに前記圧縮コイルスプリングにより付勢される前記ランプを押し付けて当該開放口をシールするようにした照明灯において、
前記本体の内周面に、当該本体の一端開放口から抜き出される型によって一体に形成された突部と、
この突部に前記本体の一端開放口から抜き出される型によって形成され、当該突部における前記本体の一端開放口側の端部から当該一端の開放口とは反対側に向って延びる凹部と、
この凹部に取り付けられ、前記圧縮コイルスプリングの一端側を受ける受け部を有した座用部材とを具備してなる照明灯。
【発明の詳細な説明】
【技術分野】
【０００１】
本発明はランプソケットを収容した本体の開放口を、当該開放口に装着したパッキンに対し、ランプソケットに取り付けられるランプを接触させてシールするようにした照明灯に関する。
【背景技術】
【０００２】
建築現場や土木工事現場で使用される照明灯には、例えばアルミダイキャストによって中空状に成形された本体内にランプソケットを収容し、このランプソケットにランプを取り付けるようにした構造のものがある（例えば、特許文献１参照。）。
【特許文献１】実公平６−９３７１号公報
【発明の開示】
【発明が解決しようとする課題】
【０００３】
この構造のものでは、本体のランプを取り付ける側の一端は開放され、この開放口にランプカバーを取り付けているが、その開放口から本体内に雨水が浸入することを防止するために、当該開放口にパッキンを装着し、このパッキンにランプを押し当てることによって当該開放口をシールする構造を採用している。
この照明灯において、ランプをパッキンに押し当てる構成は、ランプソケットを本体内に移動可能に収容すると共に、ランプソケットと本体との間に弾発力を及ぼす圧縮コイルスプリングを設けた構成となっている。そして、ランプの口金をランプソケットにねじ込んで行くと、そのねじ込みに伴ってランプソケットが圧縮コイルスプリングの弾発力に抗して本体の一端開放口側に引き寄せられるように移動するので、圧縮コイルスプリングの弾発力がランプに対してパッキンに押し付けるように作用するというものである。
【０００４】
ここで、圧縮コイルスプリングの弾発力を本体とランプソケットとの間に作用させるためには、当該圧縮コイルスプリングの両端部をランプソケット側及び本体側で受ける必要がある。この場合の圧縮コイルスプリングの一端部を本体で受ける構成は、従来、アルミダイキャスト製の本体の内面に型抜き方向である一端開放口に向って延びる複数本のリブを一体成形し、そして成形後に上記リブに機械加工によって凹欠部を形成して当該凹欠部に圧縮コイルスプリングの一端部の複数個所を掛けるようにしていた。
【０００５】
しかしながら、この構成では、本体の成形後に機械加工によって凹欠部を形成しなければならないため、製造コストが嵩むという問題があった。ちなみに、凹欠部をリブの型成形時に同時に形成できれば成形後の機械加工は不要となるが、このような凹欠部をリブに型成形することは、当該凹欠部を成形する型がアンダーカットとなり、成形後の型抜きができなくなるので、そのようなアンダーカットとなる部分は型成形によらず、成形後の機械加工によって形成するようにしているのである。
【０００６】
本発明は上記の事情に鑑みてなされたもので、その目的は、圧縮コイルスプリングを本体に取り付けるための部分を機械加工によらず、本体の型成形時に同時に形成することができ、製造コストの低減化を図ることができる照明灯を提供するところにある。
【課題を解決するための手段】
【０００７】
本発明の照明灯は、本体の内周面に、当該本体の一端開放口から抜き出される型によって一体に形成された突部と、この突部に本体の一端開放口から抜き出される型によって形成され、当該突部における前記本体の一端開放口側の端部から当該一端開放口とは反対側に向って延びる凹部と、この凹部に取り付けられ、圧縮コイルスプリングの一端側を受ける座部を有した座用部材とを具備したことを特徴とする。
【０００８】
この構成によれば、座用部材を取り付けるための凹部は、本体の開放口側からその反対側に向って延びるので、当該凹部の延びる方向は型抜き方向と一致することとなり、アンダーカットとなることなく型成形が可能である。
【発明の効果】
【０００９】
本発明によれば、圧縮コイルスプリングの一端側を受けるための座用部材の取付用の凹部を型成形によって突部に形成することができるので、成形後に機械加工によって形成しなくとも済み、製造コストの低減化を図ることができる。
【発明を実施するための最良の形態】
【００１０】
以下、本発明の一実施例を図面に基づいて説明する。
図３には照明灯１の全体が示されている。この図１において、本体２の一端側である前端側（図で左側）には反射カバー３が固定され、更にこの反射カバー３の前側には、金属線材製のランプカバー４がヒンジ部５を中心にして開閉方向である矢印Ａ方向及び反矢印Ａ方向に回動可能に取り付けられている。
【００１１】
上記本体２は型成形、例えばアルミダイキャストによって図１に示すように前半部が後半部より径大な段付きの中空状に形成されている。この中空状の本体２は若干のテーパがかけられており、一端たる前半部の前端は外部に開放されて円形の開放口６とされ、他端たる後半部の後端は底部７によって閉鎖されている。このような本体２内の底方には、ランプソケット８が回転不能に且つ前後方向（開放口６方向及び底部７方向）に移動可能に収容されている。そして、ランプソケット８に接続された電源コード９が本体２の底部７に形成された小孔１０から外方に導出されている。なお、ランプソケット８を回転不能に且つ前後方向に移動可能にする構造は種々あるが、一例を示せば、本体２側に形成したリブをランプソケット８に形成した溝に嵌めることが考えられる。
【００１２】
上記ランプソケット８にはランプ１１が取り付けられる。このランプ１１のランプソケット８への取り付けは、口金に形成されたねじ（図示せず）をランプソケット８の口金８ａのねじ８ｂ（図２参照）にねじ込むことによって行われる。そして、開放口６から本体２内に雨水が浸入してランプソケット８などに電気的被害が及ぶことを防止するために、本体２の開放口６の周縁部分にパッキン１２が装着されており、このパッキン１２にランプソケット８に取り付けられたランプ１１が当接して当該開放口６を塞ぎ且つシールするようになっている。
【００１３】
上記ランプ１１のパッキン１２への押圧は、本体２とランプソケット８との間に弾発力を及ぼす圧縮コイルスプリング１３によって行うようになっている。即ち、圧縮コイルスプリング１３の一方の端部はランプソケット８の外周部に形成した受け座としてのフランジ８ａに受けられており、他方の端部は次に述べるようにして本体２に固定された座用部材としてのリベット１４によって受けられている。
【００１４】
即ち、本体２の内面には、例えば前後方向に延びる複数個、例えば３個の突部１５が一体に形成され、この突部１５には、一端開放口６側である前端面において開口し当該前端面から一端開放口６とは反対側である後方に延びる凹部としての穴１６が形成されている。これら突部１５及び穴１６は、本体２のダイキャスト時に同時に形成したものである。
図４は本体２の中空内部を成形する型１７と外側を成形する型１８を示しており、同図のように、本体２の中空内部を形成する型１７には、突部１５を成形する凹部１９と穴１６を成形するピン状突起２０が設けられている。型１７は成形後、一端開放口６から矢印Ｂ方向（本体２の前後方向）に真っ直ぐ抜き出されるが、凹部１９及びピン状突起２０の延びる方向は本体２の前後方向となっており、型１７を抜き出す方向に一致している。このため、成形後は、アンダーカットとなることなく、型１７を本体２の中空内部から抜き出すことができる。そして、図２にも示すように、リベット１４は突部１５の穴１６に圧入によって取り付けられ、このリベット１４の受け部としての頭部１４ａに圧縮コイルスプリング１３の一端部が受けられるものである。
【００１５】
次に上記構成の作用を説明する。まず、ランプ１１が取り付けられていない状態では、圧縮コイルスプリング１３の弾発力によってランプソケット８が本体２の底部７に押圧されている。そして、ランプ１１をランプソケット８に取り付けるべくねじ込んで行くと、ランプ１１は当初はねじ込みに伴って本体２の奥方へと移動して行く。この本体２の奥方への移動によりランプ１１がパッキン１２に当接すると、徐々にランプ１１の本体２奥方への移動が止められるため、以後は逆にランプソケット８が圧縮コイルスプリング１３の弾発力に抗して本体２の開放口６側に向って移動するようにする。
【００１６】
すると、このランプソケット８の開放口６側への移動により、圧縮コイルスプリング１３が押し縮められて本体２とランプソケット８とに及ぼす弾発力を更に大きくする。この状態では、ランプソケット８が本体２の底部７から若干離れることにより、圧縮コイルスプリング１３の弾発力はランプソケット８を底部７側へ移動させるように作用するため、この弾発力によってランプ１１のチューブ１１ｂがパッキン１２に押圧され、開放口６を確実にシールする。
【００１７】
このように本実施例によれば、突部１５及び穴１６が共に型１７の抜き出し方向に延びているので、突部１５及び穴１６を本体２の成形時に、その中空内部を形成する型１７によって同時に成形することができ、且つこのようにしてもアンダーカットとなることなく型１７及びピン状突起２０を開放口６から容易に抜き出すことができる。
なお、本発明は上記し且つ図面に示す実施例に限定されるものではなく、以下のような変更又は拡張が可能である。
【００１８】
圧縮コイルスプリング１３の端部を受ける座用部材はリベット１４に限られず、セルフタッピングねじなどであっても良く、要は凹部に固定することができ、且つ圧縮コイルスプリング１３の端部を受ける部分を有するものであれば良い。
本体２はアルミダイキャスト製のものに限らず、プラスチック成形品であっても良い。
凹部は穴１６に限らない。座用部材との関係で当該座用部材を固定できるものであれば、溝状のものであっても良い。
【図面の簡単な説明】
【００１９】
【図１】本発明の一実施例を示す要部の縦断側図
【図２】要部の斜視図
【図３】全体の側面図
【図４】成形型を示す縦断側面図
【符号の説明】
【００２０】
図面中、２は本体、３は反射カバー、４はランプカバー、６は開放口、７は底部、８はランプソケット、１１はランプ、１２はパッキン、１４はリベット（座用部材），１４ａは頭部（留め部）、１５は突部、１６は穴（凹部）、１７は型、１８は凹部、１９はピン状突起である。
【図１】
2005149752.tif 000003
【図２】
2005149752.tif 000004
【図３】
2005149752.tif 000005
【図４】
2005149752.tif 000006